(57)【要約】【課題】意匠性に優れ且つ周囲環境との調和を図ることが可能な太陽電池装置を提供する。【解決手段】太陽電池装置１１，１２は、太陽電池パネル１４と、太陽電池パネル１４の受光面１５に対面して配置された発光装置２０，４０と、を含む。発光装置は、少なくとも一部分において透光性である。発光装置は、太陽電池パネルで発電された電力を利用して発光する。【選択図】図１
2015188017.tif 000002
【特許請求の範囲】
【請求項１】
太陽電池パネルと、
前記太陽電池パネルの受光面に対面して配置された、少なくとも一部分において透光性である、発光装置と、を備え、
前記発光装置は、前記太陽電池パネルで発電された電力を利用して発光する、太陽電池装置。
【請求項２】
前記発光装置は、前記太陽電池パネルの受光面に対面して配置された透光性の導光板と、前記導光板の側端面に対面して配置された発光体と、を有し、
前記発光体は、前記太陽電池パネルで発電された電力を利用して光を射出する、請求項１に記載の太陽電池装置。
【請求項３】
前記導光板は、光を拡散させる拡散機能を有している、請求項２に記載の太陽電池装置。
【請求項４】
前記発光装置は、前記太陽電池パネルの前記受光面に対面して配置された透光性の支持体と、前記支持体上に配置された複数の発光体と、前記支持体上に設けられ且つ前記発光体に接続した配線と、を含む発光シートを有する、請求項１に記載の太陽電池装置。
【請求項５】
前記発光装置は、前記発光シートの前記太陽電池パネルとは反対側に配置された拡散シートを、さらに有する、請求項４に記載の太陽電池装置。
【請求項６】
前記発光装置は、表示対象を表示するための表示面を含んでいる、請求項１〜５のいずれか一項に記載の太陽電池装置。
【発明の詳細な説明】
【技術分野】
【０００１】
本発明は、太陽電池パネル及び発光装置を有する太陽電池装置に関し、とりわけ、意匠性に優れ、周囲環境との調和を図ることができる太陽電池装置に関する。
【背景技術】
【０００２】
例えば特許文献１に開示されているように、太陽電池パネルを含む太陽電池装置が知られている。特許文献１に開示された太陽電池装置において、発光装置の電源として、太陽電池パネルが利用されている。とりわけ屋外に固定される発光装置に対し、配線の設置を不要とすることができる点において、太陽電池パネルの利用は有用である。
【先行技術文献】
【特許文献】
【０００３】
【特許文献１】特開２０００−５４３２５
【発明の概要】
【発明が解決しようとする課題】
【０００４】
しかしながら、太陽電池パネルの受光面は、黒色又は暗色であり意匠性に乏しく、また、周囲環境との調和を図ることも難しい。本発明は、このような点を考慮してなされたものであり、意匠性に優れ且つ周囲環境との調和を図ることが可能な太陽電池装置を提供することを目的とする。
【課題を解決するための手段】
【０００５】
本発明による太陽電池装置は、
太陽電池パネルと、
前記太陽電池パネルの受光面に対面して配置された、少なくとも一部分において透光性である、発光装置と、を備え、
前記発光装置は、前記太陽電池パネルで発電された電力を利用して発光する。
【０００６】
前記発光装置は、前記太陽電池パネルの受光面に対面して配置された透光性の導光板と、前記導光板の側端面に対面して配置された発光体と、を有し、
前記発光体は、前記太陽電池パネルで発電された電力を利用して光を射出する、請求項１に記載の太陽電池装置。
【０００７】
本発明による太陽電池装置において、前記導光板は、光を拡散させる拡散機能を有していてもよい。
【０００８】
本発明による太陽電池装置において、前記発光装置は、前記太陽電池パネルの前記受光面に対面して配置された透光性の支持体と、前記支持体上に配置された複数の発光体と、前記支持体上に設けられ且つ前記発光体に接続した配線と、を含む発光シートを有するようにしてもよい。
【０００９】
本発明による太陽電池装置において、前記発光装置は、前記発光シートの前記太陽電池パネルとは反対側に配置された拡散シートを、さらに有するようにしてもよい。
【００１０】
本発明による太陽電池装置において、前記発光装置は、表示対象を表示するための表示面を含んでいてもよい。
【発明の効果】
【００１１】
本発明によれば、太陽電池装置に意匠性を付与することや周囲環境との調和を図ることが可能となる。
【図面の簡単な説明】
【００１２】
【図１】図１は、本発明による第１の実施の形態を説明するための図であって、太陽電池装置の縦断面図を示す図である。
【図２】図２は、図１の太陽電池装置を示す平面図である。
【図３】図３は、図１の太陽電池装置の一変形例を示す図である。
【図４】図４は、本発明による第２の実施の形態を説明するための図であって、太陽電池装置の縦断面図を示す図である。
【図５】図５は、図４の太陽電池装置の発光シートを示す平面図である。
【発明を実施するための形態】
【００１３】
以下、図面を参照して本発明の実施の形態について説明する。
【００１４】
なお、本件明細書に添付する図面においては、図示と理解のしやすさの便宜上、適宜縮尺および縦横の寸法比等を、実物のそれらから変更し誇張してある。また、本明細書において用いる、形状や幾何学的条件並びにそれらの程度を特定する、例えば、「同一」等の用語や長さや角度の値等については、厳密な意味に縛られることなく、同様の機能を期待し得る程度の範囲を含めて解釈することとする。
【００１５】
また、本明細書において、「シート」、「フィルム」、「板」等の用語は、呼称の違いのみに基づいて、互いから区別されるものではない。したがって、例えば、「シート」はフィルムや板とも呼ばれ得るような部材も含む概念である。
【００１６】
また、本明細書において、「シート面（フィルム面、板面、パネル面）」とは、対象となるシート状の部材を全体的かつ大局的に見た場合において対象となるシート状部材の平面方向と一致する面のことを指す。さらに、本明細書において、シート状（フィルム状、板状、パネル状）の部材に対して用いる「法線方向」とは、当該部材のシート面への法線方向のことを指す。
【００１７】
図１〜図３は、本発明による第１の実施の形態に係る太陽電池装置およびその一変形例を示す図である。一方、図４及び図５は、本発明による第２の実施の形態に係る太陽電池装置を示す図である。
【００１８】
図１や図４に示すように、太陽電池装置１１は、太陽電池パネル１４と、太陽電池パネル１４の受光面１５に少なくとも部分的に重ねて配置された発光装置２０と、を有している。発光装置２０，４０は、少なくとも一部分において透光性を有している。そして、太陽電池パネル１４の透光性を有した部分が、少なくとも部分的に、太陽電池パネル１４の受光面１５に重ねられている。
【００１９】
ここで「透光性」とは、４００ｎｍ以上１０００ｎｍ以下の帯域の光透過率が５０％以上であることを言う。なお、４００ｎｍ以上１０００ｎｍ以下の帯域の光透過率は、分光光度計（（株）島津製作所製「ＵＶ−３１００ＰＣ」、ＪＩＳＫ０１１５準拠品）を用いて測定波長４００ｎｍ〜１０００ｎｍの範囲内で測定したときの、各波長における透過率の平均値として特定される。
【００２０】
太陽電池パネル１４は、受光面１５で受光した光を電気エネルギーに変換する発電装置である。太陽電池パネル１４は、種々の形態のものを使用することができる。例えば、単結晶シリコンまたは多結晶シリコン等からなる平板状のシリコン基板を含むシリコン系太陽電池パネル、薄膜太陽電池パネル、カルコパイライト系太陽電池等を、太陽電池パネル１４として用いることができる。
【００２１】
一方、発光装置２０，４０は、太陽電池パネル１４で発電された電力を利用して発光する装置である。図１に示すように、発光装置２０，４０の後述する発光体３０，４９は、制御回路１９を介して、太陽電池パネル１４に接続されている。制御回路１９は、太陽電池パネル１４で発電された電力を発光装置２０，４０に供給して、発光装置２０，４０を発光させる。また、制御回路１９は、蓄電池１８に接続されており、受光面１５に日が射している間の余分の電力を蓄電池１８にためる。さらに、制御回路１９は、受光面１５に日が射していない間でも、蓄電池１８に蓄電された電力によって、発光装置２０を発光させるようにしてもよい。
【００２２】
以下においては、まず図１〜図３に示された第１の実施の形態を説明し、次に図４及び図５に示された第２の実施の形態について説明する。なお、第１の実施の形態と第２の実施の形態は、主として発光装置の構成が異なり、他の構成は同様とすることができる。
【００２３】
図１に示すように、第１の実施の形態において、発光装置２０は、太陽電池パネル１４の受光面１５に対面して配置された透光性の導光板２５と、導光板２５の側端面２５ａに対面して配置された発光体３０と、を有している。図示された第１の実施の形態において、導光板２５および太陽電池パネル１４は、矩形形状の平面視形状を有している。したがって、導光板２５は、平面視において矩形形状となっている一対の主面２５ｂと、一対の主面２５ｂ間を結ぶ四つの側端面と、を含んでいる。図示された第１の実施の形態において、導光板２５の一つの側端面２５ａに対面して、発光体３０が配置されている。
【００２４】
発光体３０は、例えば、線状の冷陰極管等の蛍光灯や、点状のＬＥＤ（発光ダイオード）や白熱電球等の種々の態様で構成され得る。図示された第１の実施の形態では、導光板２５の一つの側端面に対面して、当該側端面の長手方向に並べられた複数の点状発光体、より具体的には、複数の発光ダイオードによって、発光体３０が構成されている。なお、発光ダイオードは、消費電力が少ないという点において、好適である。
【００２５】
なお、発光装置２０は、発光体３０を取り囲むようにして配置された反射板３２を更に有している。反射板３２は、発光体３０で発光された光を、導光板２５の側端面２５ａに誘導する。
【００２６】
導光板２５は、主部２６と、主部２６中に分散された拡散成分（光散乱成分）２７と、を有している。ここでいう拡散成分２７とは、導光板２５内を進む光に対し、反射や屈折等によって、当該光の進路方向を変化させる作用を及ぼし得る成分のことである。すなわち、導光板２５は、主部２６及び拡散成分２７を含むことにより、光を拡散させる拡散機能を有するようになる。このような拡散成分２７の光拡散機能（光散乱機能）は、例えば、拡散成分２７をなす材料とは異なる屈折率を有した材料から拡散成分２７を構成することにより、あるいは、光に対して反射作用を及ぼし得る材料から拡散成分２７を構成することにより、付与され得る。主部２６をなす材料とは異なる屈折率を有する拡散成分２７として、金属化合物、有機化合物、気体を含有した多孔質物質、さらには、単なる気泡が例示される。
【００２７】
また、第１の実施の形態において、発光装置２０は、表示対象２２を表示するための表示面２１を含んでいる。表示対象１３としては、図形、パターン、デザイン、色彩、絵、写真、キャラクターなどの絵柄またはイメージや、文字、マーク、数字などの情報を例示することができる。具体的な構成として、図２に示された例においては、導光板２５の太陽電池パネル１４とは反対側の面に、透過光によって観察され得る表示対象２２が、例えば印刷によって形成されている。したがって、図示された例において、導光板２５の太陽電池パネル１４とは反対側の面が、表示対象２２を表示するための表示面２１をなしている。図２には、表示面２１に形成される表示対象２２の一例が示されている。図２に示された例では、アルファベットの大文字の「Ｎ」が表示対象１３として表示されている。
【００２８】
次に、以上のような構成からなる第１の実施の形態に係る太陽電池装置１１の作用について説明する。
【００２９】
日中には、太陽電池装置１１に光、とりわけ太陽光が入射する。図示された例においては、図２に示すように、発光装置２０の導光板２５が、太陽電池パネル１４の受光面１５の全域を覆っている。しかしながら、導光板２５は、透光性を有している。したがって、太陽電池装置１１の導光板２５に入射した光のうち、少なくとも所定の割合の光は、導光板２５を透過して、太陽電池パネル１４の受光面１５に到達する。このような光は、太陽電池パネル１４で発電に利用される。太陽電池パネル１４で発電された電力は、制御回路１９を介して蓄電池１８に蓄電される。
【００３０】
なお、第１の実施の形態の導光板２５は、主部２６及び主部２６中に分散した拡散成分２７を有しており、拡散機能を発揮することができる。すなわち、太陽電池装置１１に入射した光は、導光板２５で拡散されて、太陽電池パネル１４の受光面１５に入射する。したがって、受光面１５内の各領域に概ね均一な光量で光が入射するようになる。この場合、太陽電池パネル１４は、一般的に普及しているいずれの形式の太陽電池パネルであったとしても、優れた発電効率で発電を行うことができる。
【００３１】
以上のようにして、太陽電池パネル１４での発電によって、蓄電池１８に蓄電を実施することができる。ただし、この太陽電池装置１１では、太陽電池パネル１４で発電された電力の一部が、発光装置２０の電源として利用され得る。より具体的には、太陽電池パネル１４で発電された電力を利用して、発光装置２０の発光体３０から光が射出する。
【００３２】
発光体３０から射出された光は、側端面２５ａを介して導光板２５に入射する。図１に示すように、導光板２５へ入射した光Ｌ１１，Ｌ１２は、導光板２５の一対の主面２５ｂにおいて、反射、とりわけ導光板２５をなす材料と空気との屈折率差に起因して全反射を繰り返し、導光板２５内を進んでいく。ただし、導光板２５の主部２６内には拡散成分２７が分散されている。このため、図１に示すように、導光板２５内を進む光Ｌ１１，Ｌ１２は、拡散成分２７によって進行方向を不規則に変更され、導光板２５から出射するようになる。
【００３３】
導光板２５内を進行する光と、導光板２５内に分散された拡散成分２７と、の衝突は、導光板２５内での導光方向（図１における紙面の左右方向）に沿った各区域において、生じる。このため、導光板２５内を進んでいる光は、少しずつ、導光板２５から出射するようなる。そして、導光板２５の太陽電池パネル１４とは反対側の主面２５ｂから出射した光によって、発光装置２０が面状に発光するようになる。すなわち、導光板２５の太陽電池パネル１４側とは反対側の面が、発光面として、面状に発光するようになる。なお、導光板２５の太陽電池パネル１４側の主面２５ｂから出射した光は、太陽電池パネル１４の受光面１５へ入射し、太陽電池パネル１４での発電に利用される。
【００３４】
ところで、多くの形式の太陽電池パネルにおいて、受光面は、黒色または暗色となっている。このような受光面を露出させる太陽電池パネルは、意匠性に劣り、また当該太陽電池パネル１４が設置される領域の周囲環境との調和を損なっていた。
【００３５】
この点について、第１の実施の形態による太陽電池装置１１では、太陽電池パネル１４の受光面１５上に発光装置２０が配置され、この発光装置２０は、少なくとも一部分において透光性を有している。すなわち、発光装置２０は、太陽電池パネル１４の受光面１５での受光を可能にしながら当該受光面１５を覆い、さらに面状に発光している。したがって、発光装置２０は、太陽電池パネル１４の発電機能を害することなく、発光して受光面１５を不可視化している。このように、太陽電池パネル１４の受光面１５を隠すことによって、太陽電池装置１１の意匠性を改善し、周囲環境との調和を図ることが可能となる。
【００３６】
とりわけ第１の実施の形態においては、透光性を有した導光板２５が、太陽電池パネル１４の受光面１５上に重ねられている。したがって、受光面１５の全域をむらなく不可視化することが可能となる。これにより、太陽電池装置１１の意匠性をより効果的に改善し、周囲環境との調和をより図ることが可能となる。
【００３７】
また、第１の実施の形態においては、太陽電池パネル１４の受光面１５上に配置された導光板２５が、拡散機能を有している。したがって、太陽電池パネル１４の受光面１５をより確実に不可視化することが可能となる。これにより、太陽電池装置１１の意匠性をより効果的に改善し、周囲環境との調和をより図ることが可能となる。
【００３８】
さらに、第１の実施の形態において、太陽電池装置１１の発光装置２０は、単に発光するだけでなく、表示対象２２を表示する表示面２１を有している。発光装置２０が発光して、表示対象２２をより明瞭に表示することにより、太陽電池パネル１４の受光面１５の存在をより意識しなくさせることができる。また、太陽電池装置１１の意匠性を積極的に向上させること、さらには、周囲環境との調和を積極的に確保することが可能となる。
【００３９】
以上のように第１の実施の形態によれば、発光装置２０が、太陽電池パネル１４の受光面１５に対面して配置されている。ただし、発光装置２０が透光性を有しているので、太陽電池パネル１４の受光面１５での受光を妨げない。その一方で、太陽電池パネル１４の受光面１５が露出することを防止することができ、太陽電池装置１４に意匠性を付与することや周囲環境との調和を図ることが可能となる。
【００４０】
さらに、太陽電池パネル１４で発電された電力を発光装置の発光に利用することができる。したがって、別途の電源を確保することや、当該別途の電源から発光装置２０へ電力供給するための設備や配線を設置することを省略することができる。このような太陽電池装置１１は、設置場所の選択の自由度が極めて高く、様々な用途で利用可能であり、例えば、屋外看板、道路情報掲示板、建築物の外壁として利用することも可能である。また、太陽電池パネル１４の受光面１５に日が射し込んでいない状況においては、蓄電池１８に蓄電された電力を利用して、発光装置２０を発光させることができる。この利用において、太陽電池装置１１は、例えば、照明装置として利用され得る。
【００４１】
なお、以上の第１の実施の形態において、導光板２５を有する発光装置２０の一例を説明したが、太陽電池装置１１に適用される発光装置２０は、上述の例に限られず、種々の変更が可能である。
【００４２】
まず、導光板２５の複数の側端面に対面する位置に発光体３０がそれぞれ配置されるようにしてもよい。
【００４３】
また、導光板から光を取り出すための手段として、拡散成分２７を設けることに代えて又は拡散成分２７を設けることに加えて、種々の公知の光取り出し手段を使用することができる。一例として、図３に示すように、導光板２５の一対の主面２５ｂが、発光体３０から離間するに連れて接近していくように、互いに対して傾斜していてもよい。図３に示す例では、導光板２５の太陽電池パネル１４に対面する主面２５ｂが、平坦な傾斜面として形成されているが、曲面として形成されていてもよいし、或いは、複数の傾斜面が、導光板２５の概ね法線方向に延びる接続面を介して接続されている構成を取ることも可能である。さらに、他の例として、導光板２５の一対の主面２５ｂの少なくとも一方に光を拡散させる拡散機能を付与することも可能である。主面２５ｂに拡散機能する付与する構成としては、主面２５ｂを凹凸面とする構成や、主面２５ｂ上に白色散乱層のパターンを設ける構成を例示することができる。
【００４４】
さらに、導光板２５の太陽電池パネル１４とは反対側に、種々の光学機能を発揮し得る光学シートを配置してもよい。このような光学シートとして、光を拡散させる拡散シート、導光板２５からの出射光の光路を偏向させるプリズムシートやレンズシート等を例示することができる。さらに、表示対象２２を表示するための表示面２１を有した表示シートを、導光板２５の太陽電池パネル１４とは反対側に設けるようにしてもよい。
【００４５】
次に、主として、図４及び図５を参照しながら，第２の実施の形態の実施の形態について説明する。
【００４６】
上述したように、第２の実施の形態に係る太陽電池装置１２では、発光装置４０が、第１の実施の形態に係る太陽電池装置１１の発光装置２０と異なっており、その他の構成は、第１の実施の形態に係る太陽電池装置１１と同一とすることができる。すなわち、第２の実施の形態に係る太陽電池装置１２において、太陽電池パネル１４、蓄電池１８及び制御回路１９は、上述した第１の実施の形態と同一とすることができる。したがって、以下の第２の実施の形態に関する説明では、第１の実施の形態と同一に構成され得る構成について、第１の実施の形態と同一の符号を用いるともに、重複する説明を省略する。
【００４７】
なお、第１の実施の形態では、発光装置２０の発光体３０が、図１及び図２に示すように、平面視において太陽電池パネル１４の受光面１５と重ならない位置に配置されていた。一方、第２の実施の形態では、発光装置４０の発光体４９が、平面視において太陽電池パネル１４の受光面１５と重なる位置に配置されている。したがって、第２の実施の形態に係る太陽電池装置１２の平面形状において、側方への突出し且つ発光しない部分が存在しない。このため、太陽電池装置１２の平面形状を小型化させることができ、また、意匠性においても優れる。以下、第２の実施の形態に係る太陽電池装置１２の発光装置４０ついて詳述する。
【００４８】
図４に示すように、発光装置４０は、太陽電池パネル１４の受光面１５に対面して配置された発光シート４５と、発光シート４５の太陽電池パネル１４とは反対側に配置された拡散シート５０と、を有している。発光シート４５は、太陽電池パネル１４の受光面１５に対面して配置された透光性の支持体４６と、支持体４６上に互いから離間して配置された複数の発光体４９と、支持体４６上に設けられ且つ発光体４９に接続した配線４７と、を含んでいる。
【００４９】
支持体４６は、透光性を有した樹脂やガラス等からなるシート状の部材であり、発光体４９を支持する支持部材として機能する。
【００５０】
発光体４９は、第１の実施の形態と同様に、種々の公知の発光体を利用することができる。図４及び図５に示された例では、支持体４６上に規則的に配列された複数の点状発光体、より具体的には、複数の発光ダイオードによって、発光体４９が構成されている。一例として、発光体４９は、互いに交差する二方向に、それぞれ、一定の配列ピッチにて支持体４６上に配列される。とりわけ図５に示された例では、複数の発光体４９は、平面視矩形形状からなる支持体４６の互いに直交する二つの側縁の長手方向のそれぞれに沿って、同一のピッチで配列されている。このような発光体４９の配列によれば、発光装置４０が発光した際における明るさの分布の均一化を図ることができる。
【００５１】
配線４７は、例えば、銅、アルミニウム、銀等から形成されており、各発光体４９と制御回路１９との間を延びている。このような発光シート４５は、所謂プリント基板として形成され得る。
【００５２】
発光シート４５は、当該発光シート４５をその法線方向から観察した際に、支持体４６の全領域のうちの５０％以上の部分が露出するようになっている。すなわち、支持体４６の全領域のうちの、配線４７や発光体４９で覆われている面積が５０％未満となっている。このような発光シート４５によれば、当該発光シート４５を全体として捉えた場合の、光透過率を５０％以上に確保することができる。つまり、発光シート４５が全体として透光性を確保することが可能となる。
【００５３】
拡散シート５０は、図示された例において、主部５１と、主部５１中に分散された拡散成分（光散乱成分）５２と、を有している。拡散成分５２は、拡散シート５０内を進む光に対し、反射や屈折等によって、当該光の進路方向を変化させる作用を及ぼし得る成分のことである。ただし、この例に限られず、拡散シート５０の表面を凹凸にすることにより、拡散シート５０が拡散機能を発現するようにしてもよい。
【００５４】
さらに、第２の実施の形態に係る太陽電池装置１２おいても、表示対象を表示するための表示面が設けられるようにしてもよい。例えば、拡散シート５０が、表示対象を表示するための表示面を有するようにしてもよい。この例では、拡散シート５０の発光シート４５に対面する側の面、及び、この面とは反対側の面の少なくとも一方に、表示対象を形成することができる。また、拡散シート５０の内部に、表示対象を表示するための表示面を形成してもよい。さらに、表示対象を表示するための表示面を有した表示シートを、発光シート４５の太陽電池パネル１４とは反対側に設けるようにしてもよい。
【００５５】
以上の構成からなる第２の実施の形態に係る太陽電池装置１２の作用について説明する。
【００５６】
日中には、太陽電池装置１２に光、とりわけ太陽光が太陽電池装置１２に入射する。図示された例においては、図４に示すように、発光装置４０の発光シート４５及び拡散シート５０が、太陽電池パネル１４の受光面１５の全域を覆っている。ただし、発光シート４５及び拡散シート５０はいずいれも十分な透光性を有している。このため、太陽電池装置１２に入射した光のうち、少なくとも所定の割合の光は、拡散シート５０及び発光シート４５を透過して、太陽電池パネル１４の受光面１５に到達する。このような光は、太陽電池パネル１４で発電に利用される。太陽電池パネル１４で発電された電力は、制御回路１９を介して蓄電池１８に蓄電される。
【００５７】
なお、太陽電池パネル１４に入射する光は、当該太陽電池パネル１４の受光面１５へ到達する前に、発光装置４０の拡散シート５０によって拡散される。このため、受光面１５内の各領域に概ね均一な光量で光が入射するようになる。この場合、太陽電池パネル１４は、一般的に普及しているいずれの形式の太陽電池パネルであったとしても、優れた発電効率で発電を行うことができる。
【００５８】
以上のようにして、太陽電池パネル１４での発電によって、蓄電池１８に蓄電を実施することができる。ただし、この太陽電池装置１１では、太陽電池パネル１４で発電された電力の一部が、発光装置４０の電源として利用され得る。より具体的には、太陽電池パネル１４で発電された電力を利用して、発光装置４０の発光体４９から光が射出する。発光シート４５において、複数の発光体４９は、互いにから離間して支持体４６上に二次元的に配列されている。そして、発光体４９から発光された光は、拡散シート５０によって拡散される。したがって、拡散シート５０の太陽電池パネル１４側とは反対側の面が、発光面として、面状に発光するようになる。
【００５９】
以上のような、第２の実施の形態に係る太陽電池装置１２によれば、第１の実施の形態に係る太陽電池装置１１と同様の作用効果を奏することができる。
【００６０】
すなわち、第２の実施の形態による太陽電池装置１２では、太陽電池パネル１４の受光面１５上に発光装置４０が配置され、この発光装置４０は、少なくとも一部分において透光性を有している。このため、発光装置４０は、太陽電池パネル１４の受光面１５での受光を可能にしながら当該受光面１５を覆い、さらに面状に発光している。したがって、発光装置２０は、太陽電池パネル１４の発電機能を害することなく、発光することによって、意匠性を損ない且つ周囲環境との調和を崩し得る暗色または黒色の受光面１５を不可視化している。このように太陽電池パネル１４の受光面１５を隠すことにより、太陽電池装置１１の意匠性を改善し、周囲環境との調和を図ることが可能となる。
【００６１】
とりわけ第２の実施の形態においては、複数の発光体４９が、発光シート４５の支持体４６上に分散して配置されている。これにより、受光面１５の全域をむらなく不可視化することが可能となる。
【００６２】
また、第２の実施の形態では、拡散シート５０が、発光シート４５の太陽電池パネル１４とは反対側に設けられている。したがって、太陽電池パネル１４の受光面１５をより確実に不可視化することが可能となる。
【００６３】
さらに、第２の実施の形態において、太陽電池装置１１の発光装置４０は、単に発光するだけでなく、表示対象を表示する表示面を有することができる。発光装置２０が発光して、表示対象をより明瞭に表示することにより、太陽電池パネル１４の受光面１５の存在をより意識しなくさせることができる。また、太陽電池装置１１の意匠性を積極的に向上させること、さらには、周囲環境との調和を積極的に確保することが可能となる。
【００６４】
さらに、太陽電池パネル１４で発電された電力を発光装置の発光に利用することができる。したがって、別途の電源を確保することや、当該別途の電源から発光装置４０へ電力供給するための設備や配線を設置することを省略することができる。このような太陽電池装置１２は、設置場所の選択の重度が極めて高く、様々な用途で利用可能であり、例えば、屋外看板、道路情報掲示板、建築物の外壁として利用することも可能である。また、太陽電池パネル１４の受光面１５に日が射し込んでいない状況においては、蓄電池１８に蓄電された電力を利用して、発光装置４０を発光させることができる。この利用において、太陽電池装置１２は、例えば、照明装置として利用され得る。
【００６５】
なお、以上の第２の実施の形態において、太陽電池パネル１４の受光面１５に対面する位置に配置された発光体４９を含む発光装置４０の一例を説明したが、太陽電池装置１２に適用される発光装置４０は、上述の例に限られず、種々の変更が可能である。
【００６６】
まず、拡散シート５０を設けることに加え或いは拡散シート５０を設けることに代えて、発光シート４５の支持体４６が拡散機能を有するようにしてもよい。支持体４６に拡散機能を付与する構成としては、支持体４６が拡散成分を含有する構成や、支持体４６が凹凸面を有する構成を採用することができる。
【００６７】
また、第２の実施の形態の発光装置４０から、拡散シート５０を省くことができる。発光体４９が短ピッチで配列されている場合や、観察者から離れた位置に太陽電池装置１２が設置される場合、拡散シート５０を用いなくとも、平面上に分散して配列された複数の発光体４９で発光される光によって、発光装置４０が面状に発光しているかのように観察され、これにより、太陽電池パネル１４の受光面１５を十分に不可視化することが可能となる。
【００６８】
さらに、発光シート４５に代えて、公知となっている透光性の発光装置や透光性の表示装置を用いることができる。透光性の発光装置や透光性の表示装置としては、例えば、一対の電極が共に透明導電体で形成された有機ＥＬ発光装置や有機ＥＬ表示装置を例示することができる。
【００６９】
なお、以上において二つの実施の形態と、各実施の形態に対するいくつかの変形例とを説明してきたが、上述した構成を適宜組み合わせることも可能である。
【符号の説明】
【００７０】
１１   太陽電池装置
１２   太陽電池装置
１４   太陽電池パネル
１５   受光面
１８   蓄電池
１９   制御回路
２０   発光装置
２１   表示面
２２   表示対象
２５   導光板
２５ａ 側端面
２５ｂ 主面
２６   主部
２７   拡散成分
３０   発光体
３２   反射板
４０   発光装置
４１   表示面
４５   発光シート
４６   支持体
４７   配線
４９   発光体
５０   拡散シート
５１   主部
５２   拡散成分
【図１】
2015188017.tif 000003
【図２】
2015188017.tif 000004
【図３】
2015188017.tif 000005
【図４】
2015188017.tif 000006
【図５】
2015188017.tif 000007